(57)【特許請求の範囲】
【請求項１】
患者に血液浄化治療を施すための血液浄化器が取り付けられる複数の血液浄化手段と、
該血液浄化手段のそれぞれに透析液、透析液原液、清浄水又は消毒液を供給可能な供給手段と、
を具備するとともに、前記透析液若しくは透析液原液を作製する工程又は洗浄若しくは消毒を行わせる工程に関わる複数の連動装置を具備し、予め設定したスケジュールに従って当該複数の連動装置が互いに連動することにより前記透析液若しくは透析液原液の作製又は洗浄若しくは消毒を自動的に行わせる自動運転が可能な血液浄化システムにおいて、
前記供給手段は、清浄水及び透析液原液を用いて所定濃度の透析液を作製し得る透析液供給装置を有して成るとともに、前記血液浄化手段は、当該透析液供給装置から供給された透析液を前記血液浄化器に供給する監視装置から成るものとされ、且つ、前記連動装置は、清浄水を作製し得る水処理装置、該水処理装置で作製された清浄水を用いて透析液原液を作製し得る溶解装置、及び前記透析液供給装置で構成され、
前記スケジュールは、各連動装置における所定の工程の開始時刻や終了時刻等のタイムスケジュールから成り、前記複数の連動装置を互いに通信可能として、各連動装置における所定の工程の開始時刻や終了時刻等のタイムスケジュールから成る前記スケジュールを共有させ得るとともに、前記複数の連動装置のうち何れか１つの連動装置に当該スケジュールの内容を表示させ、その前記複数の連動装置のうち何れか１つの連動装置に対する操作により、各連動装置における所定の工程の開始時刻や終了時刻等のタイムスケジュールから成る前記スケジュールの設定又は変更が可能とされたことを特徴とする血液浄化システム。
【請求項２】
前記複数の連動装置のうち何れか１つの連動装置に対する操作により、前記自動運転が開始可能とされたことを特徴とする請求項１記載の血液浄化システム。
【発明の詳細な説明】
【技術分野】
【０００１】
本発明は、患者に血液浄化治療を施すための血液浄化器が取り付けられる複数の血液浄化手段と、該血液浄化手段のそれぞれに透析液又は透析液原液を供給可能な供給手段とを具備した血液浄化システムに関するものである。
【背景技術】
【０００２】
一般に、血液浄化システムは、病院等医療現場における機械室に透析液供給装置を設置しておき、これとは別の場所である透析室（治療室）に透析用監視装置を設置するとともに、これら透析液供給装置と透析用監視装置とを配管で連結させて構成されている。透析液供給装置は、清浄水が供給されて所定濃度の透析液を作製するものである一方、透析用監視装置は、患者に透析治療を施すための血液浄化器（ダイアライザ）の数に対応して複数設置され、透析液供給装置で作製された透析液を配管を介して導入し、血液浄化器に供給する。
【０００３】
すなわち、機械室に設置された透析液供給装置から透析室に設置された複数の透析用監視装置に分配して透析液を送液し、それぞれにおいてダイアライザに透析液を供給するよう構成されているのである。このように機械室で作製された透析液を各透析用監視装置に分配する血液浄化システムは、通常、「透析治療用セントラルシステム」と称される一方、血液浄化器毎（即ち透析治療患者の各々）に透析液の作製を行い得るものは、通常、「個人用透析装置」と称される。
【０００４】
しかるに、透析液供給装置と各透析用監視装置とを電気的に接続しておき、透析治療工程時、配管の洗浄工程又は消毒工程時において、当該透析液供給装置（供給手段）から各透析用監視装置（血液浄化手段）に対して電気信号（工程信号）を送信するものが提案されている（例えば、特許文献１参照）。これにより、各透析用監視装置は、所定の電気信号（工程信号）を受信すると、その信号に応じた動作（ポンプの駆動や電磁弁の開閉等）が行われることとなる。
【０００５】
ところで、機械室には、通常、清浄水（ＲＯ水）を作製し得る水処理装置と、当該清浄水を用いて透析液原液を作製する溶解装置と、当該透析液原液を用いて所定濃度の透析液を作製し各透析用監視装置に送液する透析液供給装置とが設置されており、これら装置（「連動装置」と称する）が連動して、透析液若しくは透析液原液の作製又は洗浄若しくは消毒を自動的に行わせる自動運転が可能とされていた。この自動運転においては、予め設定したスケジュールに従って複数の連動装置（水処理装置、溶解装置及び透析液供給装置）が互いに連動するものとされている。
【先行技術文献】
【特許文献】
【０００６】
【特許文献１】特開２００４−１６４１２号公報
【発明の概要】
【発明が解決しようとする課題】
【０００７】
しかしながら、上記従来の血液浄化システムにおいては、予め設定したスケジュールに従って複数の連動装置（水処理装置、溶解装置及び透析液供給装置）が互いに連動することにより自動運転が行われていたので、以下の如き問題があった。
すなわち、各々の連動装置に対してそれぞれスケジュールに応じた設定が必要とされていることから、一つの連動装置の動作と他の連動装置の動作とを精度よく同期させることが極めて困難であり、スケジュールの作成が困難であるという問題があった。さらに、何らかの不具合が生じて連動装置の一部が停止等した際、スケジュールの設定を変更するのが極めて困難であるとともに、当該スケジュールを誤って設定してしまう虞があった。かかる問題は、血液浄化手段が個人用透析装置とされたものにおいても同様である。
【０００８】
本発明は、このような事情に鑑みてなされたもので、連動装置における自動運転のためのスケジュールを容易に設定及び変更することができる血液浄化システムを提供することにある。
【課題を解決するための手段】
【０００９】
請求項１記載の発明は、患者に血液浄化治療を施すための血液浄化器が取り付けられる複数の血液浄化手段と、該血液浄化手段のそれぞれに透析液、透析液原液、清浄水又は消毒液を供給可能な供給手段とを具備するとともに、前記透析液若しくは透析液原液を作製する工程又は洗浄若しくは消毒を行わせる工程に関わる複数の連動装置を具備し、予め設定したスケジュールに従って当該複数の連動装置が互いに連動することにより前記透析液若しくは透析液原液の作製又は洗浄若しくは消毒を自動的に行わせる自動運転が可能な血液浄化システムにおいて、前記供給手段は、清浄水及び透析液原液を用いて所定濃度の透析液を作製し得る透析液供給装置を有して成るとともに、前記血液浄化手段は、当該透析液供給装置から供給された透析液を前記血液浄化器に供給する監視装置から成るものとされ、且つ、前記連動装置は、清浄水を作製し得る水処理装置、該水処理装置で作製された清浄水を用いて透析液原液を作製し得る溶解装置、及び前記透析液供給装置で構成され、前記スケジュールは、各連動装置における所定の工程の開始時刻や終了時刻等のタイムスケジュールから成り、前記複数の連動装置を互いに通信可能として、各連動装置における所定の工程の開始時刻や終了時刻等のタイムスケジュールから成る前記スケジュールを共有させ得るとともに、前記複数の連動装置のうち何れか１つの連動装置に当該スケジュールの内容を表示させ、その前記複数の連動装置のうち何れか１つの連動装置に対する操作により、各連動装置における所定の工程の開始時刻や終了時刻等のタイムスケジュールから成る前記スケジュールの設定又は変更が可能とされたことを特徴とする。
【００１０】
請求項２記載の発明は、請求項１記載の血液浄化システムにおいて、前記複数の連動装置のうち何れか１つの連動装置に対する操作により、前記自動運転が開始可能とされたことを特徴とする。
【発明の効果】
【００１５】
請求項１の発明によれば、複数の連動装置を互いに通信可能とするとともに、複数の連動装置のうち何れか１つの連動装置に対する操作により、スケジュールの設定又は変更が可能とされたので、連動装置における自動運転のためのスケジュールを容易に設定及び変更することができる。
さらに、複数の連動装置のうち何れか１つの連動装置にスケジュールの内容を表示させるとともに、その連動装置に対する操作により当該スケジュールの設定又は変更が可能とされたので、スケジュールの設定をより容易且つ確実に行わせることができる。
また、供給手段は、清浄水及び透析液原液を用いて所定濃度の透析液を作製し得る透析液供給装置を有して成るとともに、血液浄化手段は、当該透析液供給装置から供給された透析液を血液浄化器に供給する監視装置から成るものとされ、且つ、連動装置は、清浄水を作製し得る水処理装置、該水処理装置で作製された清浄水を用いて透析液原液を作製し得る溶解装置、及び透析液供給装置で構成されたので、セントラルシステムに適用することができる。
【００１６】
請求項２の発明によれば、複数の連動装置のうち何れか１つの連動装置に対する操作により、自動運転が開始可能とされたので、自動運転開始のための操作をより容易に行わせることができる。
【図面の簡単な説明】
【００２１】
【図１】本発明の実施形態に係る血液浄化システムを示す全体模式図
【図２】同血液浄化システムにおける監視装置の構成を示す模式図
【図３】同血液浄化システムにおける透析液供給装置、溶解装置及び水処理装置の構成及び接続関係を示すブロック図
【図４】同血液浄化システムにおける連動装置の連動を示すタイムチャート
【図５】参考例に係る血液浄化システムを示す全体模式図
【図６】参考例に係る血液浄化システムを示す全体模式図
【発明を実施するための形態】
【００２２】
以下、本発明の実施形態について図面を参照しながら具体的に説明する。
本実施形態に係る血液浄化システムは、透析液原液から所定濃度の透析液を作製するとともに、その透析液を複数の透析用監視装置に供給するためのものであり、図１に示すように、病院等医療現場における透析室Ａ（治療室）に設置された複数の監視装置１と、当該医療現場における透析室Ａとは別の場所である機械室Ｂに設置された透析液供給装置２、溶解装置３及び水処理装置４とから主に構成される。なお、これら透析液供給装置２、溶解装置３及び水処理装置４は、本発明の「連動装置」を構成している。
【００２３】
監視装置１（血液浄化手段）は、患者に血液浄化治療（血液透析治療）を施すためのダイアライザ５（血液浄化器）が取り付けられ、透析液供給装置２から供給された透析液を当該ダイアライザ５に供給するためのもので、透析室Ａに複数設置されている。かかる監視装置１は、血液透析治療や他の制御内容（洗浄又は消毒）の指示及び所定の表示を行わせ得るタッチパネル１ａが配設されている。
【００２４】
より具体的には、透析室Ａに設置された複数の監視装置１の各々は、図２に示すように、透析液供給装置２から延設された配管Ｌ１が引き込まれるとともに、図示しない排液手段に接続された配管Ｌ２を具備し、これら配管Ｌ１、Ｌ２に跨って複式ポンプ１２が配設されて構成されている。このうち監視装置１内における配管Ｌ１には、当該配管Ｌ１を流れる液体の流量を検出する流量検出センサ７、当該液体の給液圧を検出する液圧検出センサ８、及び当該液体の電導度（濃度）を検出する電導度検出センサ９が配設されている。
【００２５】
また、複式ポンプ１２からは、配管Ｌ１と連通した透析液導入ラインＬ４と、配管Ｌ２と連通した透析液排出ラインＬ５が延設されており、カプラＣを介して当該透析液導入ラインＬ４の先端をダイアライザ５の透析液導入口５ａに接続し得るとともに、カプラＣを介して当該透析液排出ラインＬ５の先端をダイアライザ５の透析液排出口５ｂに接続し得るよう構成されている。このように、各監視装置１には、それぞれ患者に応じたダイアライザ５が取り付けられるようになっており、当該ダイアライザ５には、患者の血液を体外循環させる血液回路６が接続されることとなる。
【００２６】
複式ポンプ１２のポンプ室は、図示しない単一のプランジャにより、配管Ｌ１に接続された送液側ポンプ室と、配管Ｌ２に接続された排出側ポンプ室とに隔成されており、当該プランジャが往復動することにより、送液側ポンプ室に送られた透析液又は洗浄液をダイアライザ５に供給するとともに、ダイアライザ５内の透析液を排出側ポンプ室に吸入するよう構成されている。さらに、監視装置１内には、複式ポンプ１２をバイパスしつつ配管Ｌ２と透析液排出ラインＬ５とを連通する配管Ｌ３が形成されており、この配管Ｌ３の途中に除水ポンプ１３が配設されている。かかる除水ポンプ１３を駆動させることにより、ダイアライザ５内を流れる患者の血液に対して除水を行わせることが可能とされる。
【００２７】
なお、複式ポンプ１２に代えて、所謂チャンバ形式のものとしてもよいとともに、流量検出センサ７、液圧検出センサ８或いは電導度検出センサ９等のセンサ類は、任意のものを配設してもよく若しくは他の汎用的なものを加えるようにしてもよい。さらに、本実施形態においては、当該センサ類を配管Ｌ１に配設するようにしているが、他の配管（例えば配管Ｌ２）に配設するものとしてもよい。例えば流量検出センサ７、液圧検出センサ８或いは電導度検出センサ９等のセンサ類を配管Ｌ１又は配管Ｌ２の何れか一方に配設させたもの或いは両方に配設させたものとしてもよい。
【００２８】
水処理装置４は、内部に濾過膜等を内在したモジュール（浄化濾過器）を具備し、原水を浄化して清浄水（ＲＯ水）を得るためのものであり、配管Ｌ８を介して溶解装置３と連結されて当該溶解装置３に清浄水を供給し得るとともに、配管Ｌ６、Ｌ７を介して透析液供給装置２と連結されて当該透析液供給装置２に清浄水を供給し得るよう構成されている。かかる水処理装置４で得られた清浄水は、透析液供給装置２にて透析液を作製する際に用いられたり或いは当該透析液供給装置２や監視装置１の配管等を洗浄する洗浄水としても用いられる。なお、水処理装置４を図示しない個人用透析装置や粉末状透析用薬剤を溶解する溶解装置等と連結し、これらに清浄水を供給するよう構成してもよい。
【００２９】
また、水処理装置４は、水処理に関する制御内容の指示及び所定の表示を行わせ得るタッチパネル４ａが配設されているとともに、図３に示すように、送信手段４ｂ及び受信手段４ｃを介して後述するＬＡＮケーブルβと電気的に接続されるインターフェイス部１６及び制御部１７を具備している。そして、インターフェイス部１６にて透析液供給装置２又は溶解装置３から所定の情報を受信すると、その情報に基づいて制御部１７による所定の動作（清浄水の作製等）が行われるようになっている。
【００３０】
溶解装置３は、例えば所定量の透析用粉体薬剤が投入されるとともに、その透析用粉体薬剤と水処理装置４から供給された清浄水とを混合（ミキシング）して所定濃度の透析液原液を作製するためのものである。この溶解装置３は、透析液原液作製に関する制御内容の指示及び所定の表示を行わせ得るタッチパネル３ａが配設されているとともに、図３に示すように、送信手段３ｂ及び受信手段３ｃを介して後述するＬＡＮケーブルβと電気的に接続されるインターフェイス部１８及び制御部１９を具備している。そして、インターフェイス部１８にて透析液供給装置２又は水処理装置４から所定の情報を受信すると、その情報に基づいて制御部１９による所定の動作（透析液原液の作製等）が行われるようになっている。なお、溶解装置３は、配管Ｌ６を介して透析液供給装置２と接続されており、作製された透析液原液を透析液供給装置２に供給し得るよう構成されている。
【００３１】
透析液供給装置２（供給手段）は、水処理装置４で得られた清浄水及び溶解装置３で作製された透析液原液を用いて所定濃度の透析液を作製し得るとともに、監視装置１（血液浄化手段）のそれぞれに作製した透析液を供給可能なものである。すなわち、透析液供給装置２は、配管Ｌ１を介して複数の監視装置１のそれぞれと接続されており、かかる配管Ｌ１を介して監視装置１のそれぞれに透析液、洗浄水及び消毒液等の所望の液体を供給し得るよう構成されているのである。
【００３２】
また、透析液供給装置２には、透析液供給や洗浄又は消毒に関する制御内容の指示及び所定の表示を行わせ得るタッチパネル２ａが配設されているとともに、図３に示すように、送信手段２ｂ及び受信手段２ｃを介して後述するＬＡＮケーブルβと電気的に接続されるインターフェイス部１４及び制御部１５を具備している。そして、インターフェイス部１４にて溶解装置３又は水処理装置４から所定の情報を受信すると、その情報に基づいて制御部１５による所定の動作（透析液の作製等）が行われるようになっている。
【００３３】
上記透析液供給装置２、溶解装置３及び水処理装置４は、透析液若しくは透析液原液を作製する工程又は洗浄若しくは消毒を行わせる工程に関わる複数の連動装置を構成するものである。しかして、このような連動装置を構成する透析液供給装置２、溶解装置３及び水処理装置４は、ＬＡＮ（ローカルエリアネットワーク：構内通信網）にて接続されており、双方向の情報の互いの通信が可能とされている。なお、図中符号Ｈは、ＬＡＮ接続に介在するハブを示しているが、当該ハブＨに代えて所定の通信装置を介在させるようにしてもよい。また、かかるＬＡＮは、本実施形態の如くＬＡＮケーブルβを用いるもの（有線）に限らず、無線で双方向の情報の通信が可能なもの（無線ＬＡＮ）であってもよい。
【００３４】
ここで、本実施形態においては、予め設定したスケジュールに従って当該複数の連動装置（透析液供給装置２、溶解装置３及び水処理装置４）が互いに連動することにより透析液若しくは透析液原液の作製又は洗浄若しくは消毒を自動的に行わせる自動運転が可能とされているとともに、これら透析液供給装置２、溶解装置３及び水処理装置４（複数の連動装置）のうち何れか１つの連動装置に対する操作により、スケジュールの設定又は変更が可能とされている。
【００３５】
本実施形態におけるスケジュールは、各連動装置における所定の工程の開始時刻や終了時刻等のタイムスケジュールを指すものであり、それぞれの連動装置が当該スケジュールに従った動作を行うことにより、互いが連動し、透析液若しくは透析液原液の作製又は洗浄若しくは消毒を自動的に行わせるようになっている。なお、本実施形態においては、スケジュールの設定又は変更は、透析液供給装置２のタッチパネル２ａ、溶解装置３のタッチパネル３ａ、水処理装置４のタッチパネル４ａにて行われるようになっている。
【００３６】
具体的には、血液透析治療が開始される前（例えば早朝等）において、透析液若しくは透析液原液を自動的に作製すべく、水処理装置４、溶解装置３及び透析液供給装置２が互いに通信し、予め設定したスケジュールを共有することでそれぞれが当該スケジュールに従い互いに連動するよう構成されている。より具体的には、水処理装置４における清浄水の作製及び送液動作、溶解装置３における清浄水の受け入れ及び透析液原液の作製動作、透析液供給装置２における清浄水の受け入れ及び透析液の作製動作が所望タイミングにて同期して透析液若しくは透析液原液を自動的に作製可能となっている。
【００３７】
例えば、透析治療の開始時刻が１時間早まる場合、操作者は、透析液供給装置２のタッチパネル２ａに対して開始時刻を１時間早めるための入力操作を行う。かかるスケジュール変更のための情報は、送信手段２ｂを介して溶解装置３及び水処理装置４に送信され、それぞれの受信手段３ｃ、４ｃ、インターフェイス部１６、１８を介して制御部１７、１９に伝達される。これにより、溶解装置３による透析液原液作製開始時刻、及び水処理装置４による清浄水作製開始時刻がそれぞれ１時間早められるスケジュールとされる。
【００３８】
また、血液透析治療が終了した後（例えば夜間等）において、洗浄若しくは消毒を自動的に行わせるべく、水処理装置４、溶解装置３及び透析液供給装置２が互いに通信し、予め設定したスケジュールを共有することでそれぞれが当該スケジュールに従い互いに連動するよう構成されている。より具体的には、水処理装置４における清浄水（洗浄水）及び消毒液の作製及び送液動作、溶解装置３における洗浄水又は消毒液の受け入れ動作、透析液供給装置２における洗浄水又は消毒液の受け入れ動作が所望タイミングにて同期して洗浄若しくは消毒を自動的に行わせることが可能となっている。
【００３９】
例えば、連動装置（透析液供給装置２、溶解装置３及び水処理装置４）が、図４のタイムチャートの如き連動する場合について、スケジュールの設定方法について説明する。透析液供給装置２における熱水消毒開始時刻ｔ１は、水処理装置４の熱水消毒及び熱水供給時刻と同じ時刻（本実施形態においては２３時）になるよう設定されるとともに、透析液供給装置２の透析液作製開始時刻ｔ２は、透析治療開始時刻の所定時間前（例えば３０分前）になるよう設定される。また、溶解装置３における熱水消毒開始時刻ｔ３は、水処理装置４の熱水消毒及び熱水供給時刻と同じ時刻（本実施形態においては２３時）になるよう設定されるとともに、透析液原液の作製開始時刻（溶解開始時刻）ｔ４は、透析液供給装置２が透析液を作製する所定時間前（例えば２０分前）になるよう設定される。
【００４０】
さらに、水処理装置４における消毒のための清浄水の作製終了時刻ｔ５は、透析液供給装置２や溶解装置３が清浄水を必要とする時間が経過する時刻（本実施形態においては２０時）になるよう設定されるとともに、熱水消毒及び熱水供給の終了時刻ｔ６は、透析液供給装置２及び溶解装置３の両者が熱水消毒を終了する時刻（本実施形態においては１時）になるよう設定される。また、水処理装置４における透析治療のための清浄水の作製開始時刻ｔ７は、透析液供給装置２や溶解装置３が清浄水を必要とする時刻の所定時間前（例えば１０分前）になるよう設定される。
【００４１】
しかして、本実施形態においては、水処理装置４、溶解装置３及び透析液供給装置２が互いに通信し、図４で示す如きスケジュールを共有することでそれぞれが当該スケジュールに従い互いに連動するよう構成されているとともに、その複数の連動装置のうち何れか１つの連動装置に対する操作により、スケジュールの設定又は変更が可能とされているのである。
【００４２】
さらに、本実施形態においては、透析液供給装置２、溶解装置３及び水処理装置４のうち何れか１つの連動装置に対する操作により、自動運転が開始可能とされている。例えば、透析液供給装置２のタッチパネル２ａ、溶解装置３のタッチパネル３ａ及び水処理装置４のタッチパネル４ａにそれぞれ自動運転を開始するための操作ボタンを表示させ、当該何れかの操作ボタンを押圧操作することにより、透析液若しくは透析液原液の作製又は洗浄若しくは消毒を自動的に行わせる自動運転が開始されるよう構成されている。これにより、自動運転開始のための操作をより容易に行わせることができる。
【００４３】
例えば、透析液供給装置２におけるタッチパネル２ａに表示された自動運転開始のための操作ボタンを操作者が操作すると、当該自動運転開始のための情報は、送信手段２ｂを介して溶解装置３及び水処理装置４に送信され、それぞれの受信手段３ｃ、４ｃ、インターフェイス部１６、１８を介して制御部１７、１９に伝達される。これにより、連動装置が互いに連動して、透析液若しくは透析液原液の作製又は洗浄若しくは消毒を自動的に行わせる自動運転が開始されることとなる。
【００４４】
また更に、本実施形態においては、透析液供給装置２、溶解装置３及び水処理装置４のうち何れか１つの連動装置におけるタッチパネル（２ａ、３ａ、４ａ）にスケジュールの内容を表示させるとともに、その連動装置（透析液供給装置２、溶解装置３又は水処理装置４のタッチパネル２ａ、３ａ、４ａ）に対する操作により当該スケジュールの設定又は変更が可能とされている。これにより、スケジュールの設定をより容易且つ確実に行わせることができる。
【００４５】
例えば、溶解装置３及び水処理装置４からそれぞれの自動運転に関する情報が透析液供給装置２に送信され、その情報の内容がタッチパネル２ａにて表示される。操作者は、タッチパネル２ａの表示を確認しながら、そのタッチパネル２ａにて自動運転のためのスケジュールの設定及び変更を行う。その設定及び変更されたスケジュールの情報は、送信手段２ｂを介して溶解装置３及び水処理装置４に送信され、それぞれの受信手段３ｃ、４ｃ、インターフェイス部１６、１８を介して制御部１７、１９に伝達される。
【００４６】
これにより、透析液供給装置２にて設定又は変更されたスケジュールに従って各連動装置が互いに連動して、透析液若しくは透析液原液の作製又は洗浄若しくは消毒が自動的に行われることとなる。この場合、透析液供給装置２にて設定されたスケジュール（例えば、透析治療開始時刻等）と他の連動装置（溶解装置３又は水処理装置４）との比較を行わせ、各連動装置におけるスケジュールの設定又は変更に間違いがないか否かを判定させることができ、間違いが判定された場合、警報や警告のための表示等を行わせることができる。これにより、スケジュールを誤って設定してしまうのを防止することができる。
【００４７】
なお、本実施形態に係る血液浄化システムにおいては、透析液供給装置２（供給手段）と、それぞれの監視装置１（血液浄化手段）とが、ＬＡＮ（ローカルエリアネットワーク：構内通信網）にて接続されており、双方向の情報の通信が可能とされている。すなわち、透析液供給装置２とそれぞれの監視装置１との間は、ＬＡＮケーブルαを介在してＬＡＮ接続されているとともに、透析液供給装置２にはＬＡＮケーブルαを介して監視装置１との間で通信するためのインターフェイス部１４及び制御部１５が配設される一方、監視装置１のそれぞれにはＬＡＮケーブルαを介して透析液供給装置２との間で通信するためのインターフェイス部１０及び制御部１１（図２参照）が配設されているのである。なお、かかるＬＡＮは、本実施形態の如くＬＡＮケーブルαを用いるもの（有線）に限らず、無線で双方向の情報の通信が可能なもの（無線ＬＡＮ）であってもよい。
【００４８】
そして、透析液供給装置２においては、インターフェイス部１４にて監視装置１から所定の情報を受信すると、その情報に基づいて制御部１５による所定の動作（透析液の作製等）が行われるとともに、当該インターフェイス部１４を介して所定の情報を監視装置１に送信し得るようになっている。また、監視装置１においては、インターフェイス部１０にて透析液供給装置２から所定の情報を受信すると、その情報に基づいて制御部１１による所定の動作（治療前のプライミング、血液透析治療、返血、洗浄・消毒等）が行われるとともに、当該インターフェイス部１０を介して所定の情報を透析液供給装置２に送信し得るようになっている。
【００４９】
しかして、本実施形態においては、連動装置を構成する透析液供給装置２、溶解装置３及び水処理装置４がＬＡＮで接続されているのに加え、透析液供給装置２と、それぞれの監視装置１（血液浄化手段）とが、ＬＡＮで接続されていることから、それぞれの監視装置１に対しても自動運転のスケジュールを共有させることができ、例えば自動運転で監視装置１側の配管の洗浄又は消毒を自動的に行わせる際、当該監視装置１の動作もスケジュールに従って連動させることができる。
【００５０】
上記実施形態によれば、透析液供給装置２、溶解装置３及び水処理装置４（複数の連動装置）を互いに通信可能とするとともに、その複数の連動装置のうち何れか１つの連動装置に対する操作により、スケジュールの設定又は変更が可能とされたので、連動装置における自動運転のためのスケジュールを容易に設定及び変更することができる。なお、スケジュールの設定又は変更は、タッチパネル（２ａ、３ａ、４ａ）によるものに限定されず、他の入力手段により行うものとしてもよい。
【００５１】
また、供給手段は、清浄水及び透析液原液を用いて所定濃度の透析液を作製し得る透析液供給装置２から成るとともに、血液浄化手段は、当該透析液供給装置２から供給された透析液をダイアライザ５（血液浄化器）に供給する監視装置１から成るものとされ、且つ、連動装置は、清浄水を作製し得る水処理装置４、該水処理装置４で作製された清浄水を用いて透析液原液を作製し得る溶解装置３、及び透析液供給装置２で構成されたので、セントラルシステムに適用することができる。
【００５２】
以上、本実施形態に係る血液浄化システムついて説明したが、本発明はこれに限定されるものではない。参考例として、図５に示すように、供給手段は、清浄水を作製し得る水処理装置４を有して成るとともに、血液浄化手段は、水処理装置４から供給された清浄水を用いて所定濃度の透析液を作製し、ダイアライザ５（血液浄化器）に供給する個人用透析装置２０から成るものが挙げられる。この場合、個人用透析装置２０は、それぞれ透析液原液或いは消毒液を収容したタンクＴ１を具備するとともに、水処理装置４と配管Ｌ９で連結され、当該水処理装置４から送液された清浄水及びタンクＴ１内の透析液原液を用いて所定濃度の透析液を作製し或いは希釈した消毒液を作製し得るようになっている。
【００５４】
さらに、他の参考例として、図６に示すように、供給手段は、清浄水を作製し得る水処理装置４、及び該水処理装置４で作製された清浄水を用いて所定濃度の透析液原液を作製し得る溶解装置３を有して成るとともに、血液浄化手段は、当該溶解装置３及び水処理装置４から供給された透析液原液及び清浄水を用いて所定濃度の透析液を作製し、ダイアライザ５（血液浄化器）に供給する個人用透析装置２１から成るものが挙げられる。この場合、個人用透析装置２１は、それぞれ消毒液を収容したタンクＴ２を具備するとともに、溶解装置３及び水処理装置４と配管Ｌ１０、Ｌ１１でそれぞれ連結され、当該溶解装置３及び水処理装置４から送液された透析液原液及び清浄水を用いて所定濃度の透析液を作製し或いは希釈した消毒液を作製し得るようになっている。
【００５６】
また、本実施形態においては、透析液供給装置２と監視装置１とがＬＡＮ接続されて双方向に通信可能とされているが、複数の連動装置を互いに通信可能とするものであれば足り、透析液供給装置２から監視装置１に対して一方的に所定の情報が送信されるもの等としてもよい。なお、本実施形態においては、血液透析治療を行うシステムとされているが、他の血液浄化治療を行う血液浄化システムに適用するようにしてもよい。
【産業上の利用可能性】
【００５７】
供給手段は、清浄水及び透析液原液を用いて所定濃度の透析液を作製し得る透析液供給装置を有して成るとともに、血液浄化手段は、当該透析液供給装置から供給された透析液を血液浄化器に供給する監視装置から成るものとされ、且つ、連動装置は、清浄水を作製し得る水処理装置、該水処理装置で作製された清浄水を用いて透析液原液を作製し得る溶解装置、及び透析液供給装置で構成され、スケジュールは、各連動装置における所定の工程の開始時刻や終了時刻等のタイムスケジュールから成り、複数の連動装置を互いに通信可能として、各連動装置における所定の工程の開始時刻や終了時刻等のタイムスケジュールから成るスケジュールを共有させ得るとともに、複数の連動装置のうち何れか１つの連動装置に当該スケジュールの内容を表示させ、その複数の連動装置のうち何れか１つの連動装置に対する操作により、各連動装置における所定の工程の開始時刻や終了時刻等のタイムスケジュールから成るスケジュールの設定又は変更が可能とされた血液浄化システムであれば、他の機能が付加されたもの等にも適用することができる。
【符号の説明】
【００５８】
１  監視装置（血液浄化手段）
２  透析液供給装置（供給手段）（連動装置）
３  溶解装置（連動装置）
４  水処理装置（連動装置）
５  ダイアライザ（血液浄化器）
６  血液回路
７  流量検出センサ
８  液圧検出センサ
９  電導度検出センサ
１０  インターフェイス部
１１  制御部
１２  複式ポンプ
１３  除水ポンプ
１４  インターフェイス部
１５  制御部
１６  インターフェイス部
１７  制御部
１８  インターフェイス部
１９  制御部
Ｈ  ハブ
【図１】
0005553449.tif 000002
【図２】
0005553449.tif 000003
【図３】
0005553449.tif 000004
【図４】
0005553449.tif 000005
【図５】
0005553449.tif 000006
【図６】
0005553449.tif 000007